(57)【要約】【課題】液晶表示装置の照明構造を薄型にする。【解決手段】導光板と光源とを備えた液晶表示装置において、液晶表示装置５０の側面に半月状の導光板５１を配し、導光板５１の円弧の辺の中央に切欠部５１ｎ設けて、その切欠部５１ｎに光源であるＬＥＤ５２を配設する。【選択図】        図１
2004317740.tif 000002
【特許請求の範囲】
【請求項１】
導光板と光源とを備えた液晶表示装置において、前記液晶表示装置の側面に前記導光板と前記光源とを配し、前記光源の光を導光板を介して液晶表示装置に入射させることを特徴とする液晶表示装置。
【請求項２】
前記導光板は、一定の厚みを有し、１つの直線の辺と１つの曲線の辺とから成る半月状の形状を有して、前記直線の辺が前記液晶表示装置の側面に対面して配されていることを特徴とする請求項１に記載の液晶表示装置。
【請求項３】
前記導光板は、一定の厚みを有し、１つの長辺と２つの短辺とから成る二等辺三角形の形状を有して、前記長辺が前記液晶表示装置の側面に対面して配されていることを特徴とする請求項１に記載の液晶表示装置。
【請求項４】
前記導光板は、一定の厚みを有し、台形の形状を有して、前記台形の長辺側の辺が前記液晶表示装置の側面に対面して配されていることを特徴とする請求項１に記載の液晶表示装置。
【請求項５】
前記導光板は、前記液晶表示装置に対面している辺の反対側に当たる対向する外辺又は稜に切欠部を有して、該切欠部に光源を配したことを特徴とする請求項１乃至４のいずれかに記載の液晶表示装置。
【請求項６】
前記導光板の液晶表示装置の側面と対面している内辺の面は、光拡散面を有しており、該内辺の双方の周辺部より中央に向かって光拡散面が漸次密になっていることを特徴とする請求項１乃至５のいずれかに記載の液晶表示装置。
【請求項７】
前記導光板の前記液晶表示装置に対面している前記辺の反対側に位置する対向する前記外辺の面は光拡散面を有しており、前記外辺の双方の周辺部より中央に向かって光拡散面が漸次粗になっていることを特徴とする請求項１乃至６のいずれかに記載の液晶表示装置。
【請求項８】
前記導光板の上下面、及び前記液晶表示装置に対面している前記辺の反対側に位置する対向する前記外辺の面は反射膜を有していることを特徴とする請求項１乃至７のいずれかに記載の液晶表示装置。
【請求項９】
前記導光板は、前記請求項１乃至８のいずれかに記載の導光板が複数個横につながって一体になっていることを特徴とする液晶表示装置。
【発明の詳細な説明】
【０００１】
【発明の属する技術分野】
本発明は液晶表示装置の照明に関するもので、特に散乱型液晶表示装置の照明に関する。
【０００２】
【従来の技術】
偏光板を必要とせず、明るい表示が得られると云うことで散乱型液晶表示装置が普及してきている。この散乱型液晶表示装置は液晶物質の散乱状態を利用して白色の表示を行うものである。この散乱型液晶には、動的散乱モード（ＤＳＭモード）液晶、相転移型液晶などがあるが、中でも、ネマチック液晶材料と高分子樹脂との混合物からなる高分子分散型液晶などが良く利用されている。この高分子分散型液晶を使った液晶表示装置は、ネマチック液晶材料の屈折率と高分子樹脂との屈折率の違いにより光散乱が生じ、白濁状態、即ち白色の表示を行わせるものである。
【０００３】
上記の高分子分散型液晶表示装置は、概ね、図１０に示す構造を取っている。図１０は高分子分散型液晶表示装置の要部断面図を示したものである。また、使用している液晶は電圧印加時に透明状態となり、電圧無印加時に白濁状態を示す高分子分散型液晶の一種であるＰＮＬＣ（ポリマーネットワーク液晶）を使用している。
【０００４】
図１０より、この高分子分散型液晶表示装置２０は、ガラスなどからなる下透明基板２２の上面に透明電極２３を形成し、同じく、ガラスなどからなる上透明基板２４の下面に透明電極２５を形成し、一定の隙間を設けて、その隙間に高分子分散型液晶２６をシール材２７を介して封入した構造を取る。また、下面側には反射板２９ａあるいは吸収板２９ｂを設けている。
【０００５】
上記高分子分散型液晶は、封入後の紫外線照射で高分子樹脂が網目（ネットワーク）状構造になり、その網目の中に液晶材料が分散した構造に成っている。そして、両透明電極２３、２５に電圧を印加すると液晶分子が立ち上がりを示して透明になり（図中Ｌ１、Ｌ２部分）、電圧を印加していない部分（図中Ｐ１、Ｐ２、Ｐ３部分）は白濁状態を示して白色の色調が現れる。
【０００６】
また、下面側には反射板２９ａあるいは吸収板２９ｂを設けているので、上記電圧が印加されて透明となった部分Ｌ１、Ｌ２は、反射板２９ａを使った場合にはその反射板２９ａの色調が現れる。また、黒色の吸収板２９ｂを使った場合には黒色の色調が現れる。このことから、高分子分散型液晶表示装置は、白色と反射板の色とで構成された表示色、あるいは、白色と黒色とで構成された表示色が得られる。
【０００７】
【発明が解決しようとする課題】
散乱型液晶表示装置は、明るい所においては比較的鮮明な表示が得られるが、暗所においてはその表示の視認性が非常に悪くなる。これは、散乱型液晶表示装置に限らず他の液晶表示装置にも云えることではある。このため、暗所において表示がはっきり視認できるようにするために照明装置を付加する方法が取られている。
【０００８】
その１つとして、図１１に示す照明構造のものがある。図１１は散乱型液晶表示装置の照明構造を示す平面図を示していて、散乱型液晶表示装置２０の側面に照明光源であるＬＥＤ１１を配設したものである。しかしこの構造は、ＬＥＤ１１に光の指向特性を有していることから、指向角度θ内の範囲は明るく照明されるが、指向角度θから外れた範囲（図中Ａ、Ｂの部分）の所はどうしても光が行き届かず暗くなってしまう。このため、表示に明暗のムラが現れると云う問題がある。
【０００９】
また、別な照明構造として、次の特許文献１に導光板を使った照明構造が開示された。
【００１０】
【特許文献１】
特開平１０−２０６８４８号公報
【００１１】
図１２〜図１４に示すものは、上記特許文献１に示された散乱型液晶表示装置の照明構造を示すもので、図１２は要部断面図、図１３は図１２における導光板の要部断面図、図１４は図１２における導光板の平面図を示したものである。
【００１２】
図１２、図１３、図１４より、この照明構造は、下面に光吸収部（黒色層）９を設けた散乱型液晶表示装置１の上面側に導光板１０を配設し、その導光板１０の側面に発光源１１とランプリフレクター１２を配設した構造となっている。また、導光板１１は、下面側に複数の柱状突起１０ａを設けていて、屈折率１．４以上の透明材料で形成している。また、ここでの散乱型液晶表示装置１は高分子樹脂とネマチック液晶材料との混合物からなる高分子分散型液晶を用いていて、赤、緑、青色などのカラーフィルター層が設けられているものである。また、発光源１１は冷陰極放電管などの管状光源やＬＥＤ、豆電球などの点状光源どちらでも良いとされている。
【００１３】
上記形状の導光板１１は、発光源の光を導いて液晶表示装置１の上面に光を放射し、高分子分散型液晶層に光を当てると云う役割を成している。
【００１４】
しかしながら、この構造は、液晶表示装置の表示面全面を照明することは可能であるが、導光板１１の上面外部側に放射されて滅失する光も多く現れ、光量の利用効率面から見ると決して高い利用効率にはなっていない。
【００１５】
また、照明構造を含めた液晶表示装置全体が厚いものとなって、携帯時計のように薄型化が求められる製品には向かない。
【００１６】
【課題を解決するための手段】
本発明は、上記課題に鑑みて成されたもので、薄型の照明構造にして携帯時計にも適用できるようにすると共に、少ない光源の個数で照明ムラのない鮮明な表示を得ることを目的とするものである。そして、この目的を達成する手段として、本発明の請求項１に記載の発明は、導光板と光源とを備えた液晶表示装置において、液晶表示装置の側面に導光板と光源とを配して、光源の光を導光板を介して液晶表示装置に入射させることを特徴とするものである。
【００１７】
また、本発明の請求項２に記載の発明は、導光板が、一定の厚みを有し、１つの直線の辺と１つの曲線の辺とから成る半月状の形状を有して、直線の辺が液晶表示装置の側面に対面して配されていることを特徴とするものである。
【００１８】
また、本発明の請求項３に記載の発明は、導光板が、一定の厚みを有し、１つの長辺と２つの短辺とから成る二等辺三角形の形状を有して、長辺が液晶表示装置の側面に対面して配されていることを特徴とするものである。
【００１９】
また、本発明の請求項４に記載の発明は、導光板が、一定の厚みを有し、台形の形状を有して、台形の長辺側の辺が液晶表示装置の側面に対面して配されていることを特徴とするものである。
【００２０】
また、本発明の請求項５に記載の発明は、導光板が、液晶表示装置に対面している辺の反対側に当たる対向する辺又は稜に切欠部を有して、該切欠部に光源を配したことを特徴とするものである。
【００２１】
また、本発明の請求項６に記載の発明は、導光板の液晶表示装置の側面と対面している辺の面は、光拡散面を有しており、辺の中央にいくに従って光拡散面が密になっていることを特徴とするものである。
【００２２】
また、本発明の請求項７に記載の発明は、導光板の前記液晶表示装置に対面している辺の反対側に当たる対向する辺の面は光拡散面を有しおり、辺の中央にいくに従って光拡散面が粗になっていることを特徴とするものである。
【００２３】
また、本発明の請求項８に記載の発明は、導光板の上下面、及び液晶表示装置に対面している辺の反対側に当たる対向する辺の面は反射膜を有していることを特徴とするものである。
【００２４】
また、本発明の請求項９に記載の発明は、導光板が、請求項１乃至８のいずれかに記載の導光板が複数個横につながって一体になっていることを特徴とするものである。
【００２５】
【発明の実施の形態】
以下、本発明の実施の形態を図１〜図９を用いて説明する。ここで、図１は本発明の第１実施形態に係る液晶表示装置の照明構造の平面図、図２は図１におけるＡ−Ａ断面図、図３は図１におけるＢ−Ｂ断面図、図４は図３における導光板の液晶表示装置に対面している面の光拡散面の状態を説明する説明図、図５は図３における導光板の液晶表示装置に対面している面の反対側に当たる対向する面の光拡散面の状態を説明する説明図を示している。また、図６は本発明の第２実施形態に係る液晶表示装置の照明構造の平面図、図７は図６における導光板のＣ−Ｃ断面図を示している。また、図８は本発明の第３実施形態に係る液晶表示装置の照明構造の平面図を示している。また、図９は本発明の第４実施形態に係る液晶表示装置の照明構造の平面図を示している。
【００２６】
図１、図２、図３より、本発明の液晶表示装置５０の照明構造は、液晶表示装置５０の側面に、導光板５１と光源であるＬＥＤ５２を備えている。また、液晶表示装置５０の下面には反射板５４も備えている。そして、ＬＥＤ５２は導光板５１のＵ字形状からなる切欠部５１ｎの位置に配設されている。
【００２７】
導光板５１は、一定の厚みを有して、液晶表示装置５０の側面５０ａに対面している直線の辺５１ａと半円状の曲線の辺５１ｂとで形成された半月状の形状をなしている。また、この導光板５１はその中央部付近に丁度ＬＥＤ５２に向かって凸になった山型をした穴５１ｎを有している。この穴５１ｎは、従来例で説明したように、光を屈折させることを主目的に設けるものであるが、また、これによって反射される光も現れてくる。光源として使用するＬＥＤ５２は光の一定の指向角度を持っているので、指向角度から外れる部分は光が行き届かない。このため、山型の穴５１ｍを設けて、この穴５１ｍを光拡散孔として光を屈折させて指向角度から外れる部分に光が行くようにしている。また、この導光板５１は、上記したように、円弧状の曲線の辺５１ｂの真ん中位に切欠部５１ｎを設けている。これは、ＬＥＤ５２をこの切欠部５１ｎの所に配置するために設けている。狭い面積内に有効にＬＥＤ５２を配置するためである。本実施の形態ではＵ字形にしてあるが、逆コの字形状でも良い。また、面積的に余裕が取れるならば円弧状の中央部の表面を平坦に削った形状でも良い。
【００２８】
また、図３に示すように、導光板５１は、液晶表示装置５０の側面５０ａに対面する面５１ａ２と切欠部５１ｎの面を除く面は全て反射膜５１ｅを有している。また、この導光板５１の液晶表示装置５０の側面５０ａに対面する面５１ａ２は、図４に示すように、光拡散面に形成されている。また、この光拡散面も中央部は密になっており、外方（図中上方、下方）に行くに従って粗になっている。即ち、中央部の方が光拡散度合いが多く、外方部の方は光拡散度合いが少なくなるようにしている。これは、ＬＥＤ５２の指向角度内の光がなるべく多く拡散して、液晶表示装置５０の両端（図中上方及び下方）の方に光が多く行くようにするためである。また、この導光板５１の液晶表示装置５０の側面５０ａに対面する面５１ａ２の反対側の面５１ｂ２は、即ち、面５１ａ２に対向する面５１ｂ２は、図５に示すように、光拡散面に形成されている。この面５１ｂ２の光拡散面は、液晶表示装置５０の側面５０ａに対面する面５１ａ２の光拡散面とは逆に、外方（図中上方及び下方）に行くに従って拡散面が密になっている。これは、両端の方で反射される光がなるべく多く拡散して、液晶表示装置５０の両端（図中上方及び下方）の方になるべく多くの光が行くようにするためである。尚、図５は曲線の辺５１ｂの面を展開した図を示しているもので、図５において、中央の５１ｎ２は切欠部５１ｎの面を示している。この面５１ｎ２は光拡散面にはなっていない。
【００２９】
本発明の液晶表示装置５０の照明構造は以上述べた構成を取る。ここでの液晶表示装置５０は散乱型液晶表示装置である。散乱型の液晶として高分子樹脂とネマチック液晶との混合物で構成したＰＮＬＣ型の高分子分散型液晶を使用している。導光板５１はアクリル樹脂などを用いて射出成形方法で形成する。穴５１ｍ、切欠部５１ｎ、面５１ａ２、５１ｂ２の光拡散面も射出成形で金型から転写して形成している。本実施の形態の光拡散面は梨地調に面を粗にしたものである。光拡散面に仕上げる方法として、この外に、半球状の凸部を複数、ドット状に形成する方法などがある。導光板５１に形成する反射膜５１ｅは反射シート（例えば、アルミ箔シートなど）を貼付けて形成する。液晶表示装置５０の下面に配設する反射板５４はアルミ金属板や銀メッキした金属板などの反射率の高い金属板を用いている。鏡面状態にして使用すると光沢があり金属感を有する表示が得られる。ＬＥＤ５２は図中省略してあるがＦＰＣ基板に導電性接着剤などを介して取り付けられて、導光板５１の切欠部５１ｎの部分に配置する。なるべく指向角度の広いＬＥＤを選択するのが好ましい。
【００３０】
以上の構成を取る本発明の照明構造は、ＬＥＤ５２の発光した光は、導光板５１の中で、山型の穴５１ｎに入射した光は屈折を起こして角度を広めて液晶表示装置５０に入射する。また、導光板５１の光拡散面の面５１ａ２から出射する光は拡散して出射するので、液晶表示装置５０の図中上下の両端部の方にまで光が行くようになる。また、山型の穴５１ｎから反射される光も現れるが、これらは反射膜５１ｅによって反射されて液晶表示装置５０側の方に放射される。このとき、光拡散面になっている面５１ｂ２から反射される光は拡散して反射されるが、中心から遠のく程に拡散面が密になっているので多くの光が拡散して反射され、液晶表示装置５０の図中上下の両端部の方にまで多くの光が回り込むようにして液晶表示装置５０に放射される。このようにして、ＬＥＤ５２から出光した光量の多くが液晶表示装置５０に向かって放射され、液晶表示装置５０の液晶によって散乱されるので明るく鮮明な白色の表示が得られる。
【００３１】
液晶表示装置５０の上下の透明基板に設けたそれぞれの透明電極に電圧を印加すると、その部分の液晶は透明になる。一方、印加されていない部分は液晶が散乱現象を示していて白濁した白色を示す。暗所時にＬＥＤ５２を点灯すると、ＬＥＤ５２からの光照射によって、電圧が印加されていない部分は光が散乱して明るい白色が得られる。一方、電圧が印可されて透明状態にある所は反射板５４からの反射光が余りないため暗い黒色の色を示す。暗所におけるＬＥＤ５２点灯時は、このようにして白と黒とで構成された表示が明るく鮮明に現れる。
【００３２】
一方、ＬＥＤ５２の非点灯時における明るい時は、反射板５４によって光が良く反射されるので、白色と反射板５４の色とで構成された鮮明な表示が得られる。
【００３３】
本発明の構造は、導光板５１の厚みを液晶表示装置５０の厚みとほぼ同じ位に設定すれば、液晶表示装置５０の厚みと同等の厚みで照明が可能となる。しかも、液晶表示装置５０の側面に配置してもさほど大きな面積を取らない。丸形の携帯時計などにあっては、丸形の時計ケースの中にそっくり収納することも可能となる。
【００３４】
次に、図６、図７に示すものは、本発明の第２実施形態に係る液晶表示装置の照明構造を示している。第１実施形態と異なる箇所は、導光板の形状が異なっている点である。図６、図７より、液晶表示装置５０は、その側面５０ａ側に導光板６１とＬＥＤ５２を備えている。また、図示してはないが、第１実施形態と同様に、液晶表示装置５０の下面に反射板を備えている。ここでの液晶表示装置５０とＬＥＤ５２は第１実施形態のものと全く同じものを使用している。
【００３５】
導光板６１は、略二等辺三角形の形状を取っており、長辺６１ａは液晶表示装置５０の側面５０ａと対面している。また、長辺６１ａと反対側に位置する２つの短辺６１ｂと６１ｃとの交差する稜の中央部分には切欠部６１ｎを設けており、ＬＥＤ５２をこの切欠部６１ｎに配置している。また、この導光板６１の中央近辺には、前述の第１実施形態と同様に、光を屈折させるための山型形状をした穴６１ｍを設けている。
【００３６】
また、この導光板６１は、前述の第１実施形態と同様に、液晶表示装置５０の側面５０ａに対面する面６１ａ２と切欠部６１ｎの面を除く面は全て反射膜６１ｅを有している。また、液晶表示装置５０の側面５０ａに対面する面６１ａ２は、中央部は密に、外方に行くに従って粗になる光拡散面になっている。また、辺６１ｂの面６１ｂ２（図中略）及び辺６１ｃの面６１ｃ２は、それぞれ中央から外方（図中上方及び下方）に行くに従って密になる光拡散面になっている。
【００３７】
上記の照明構造は、前述の第１実施形態の半月状の導光板が、単に略二等辺三角形の導光板に変わっただけの照明構造になっている。上記構造の導光板においても、前述の第１実施形態の照明構造と全く同じ効果を生む。
【００３８】
次に、図８に示すものは、本発明の第３実施形態に係る液晶表示装置の照明構造を示すものである。導光板７１が台形の形状を取っており、第１実施形態及び第２実施形態と対比して導光板の形状のみが異なっているものである。
【００３９】
この導光板７１は台形の形状を取っており、長辺７１ａが液晶表示装置５０の側面５０ａに対面している。また、この長辺７１ａに対向する短辺７１ｃの中央部には切欠部７１ｎが設けられて、ＬＥＤ５２を配置している。また、中央部近辺に山型の形状をなした穴７１ｍを設けている。ここでの液晶表示装置５０とＬＥＤ５２は第１実施形態のものと全く同じものを使用している。また、図示はしていないが、液晶表示装置５０の下面に反射板が配設されている。
【００４０】
また、この導光板７１の構成は、図示してはいないが前述の第１実施形態及び第２実施形態の導光板と全く同じ構成を取っている。即ち、液晶表示装置５０の側面５０ａに対面する辺７１ａの面と切欠部７１ｎの面を除く面は全て反射膜を有している。また、液晶表示装置５０の側面５０ａに対面する辺７１ａの面は、中央部は密に、外方に行くに従って粗になる光拡散面になっている。また、辺７１ｂ、７１ｃ、７１ｄの面は、中央切欠部７１ｎから外方（図中上方及び下方）に行くに従って密になる光拡散面になっている。
【００４１】
上記、台形形状の導光板を使った照明構造も、第１実施形態の照明構造及び第２実施形態の照明構造と全く同じ効果を生む。
【００４２】
尚、本実施の形態の導光板７１や、前述した第１実施形態の導光板５１、第２実施形態の導光板６１に、いずれも光屈折用の穴７１ｍ、５１ｍ、６１ｍを設けている。この光屈折用の穴は必ずしも必要とするものではなく、光拡散面の粗密の度合いを調整することによって無くすこともできる。
【００４３】
次に、図１０に示すものは、本発明の第４実施形態に係る照明構造を示したものである。前述の第３実施形態で説明した台形の形状をした導光板が２個（部分導光板８１Ａと８１Ｂとが）つながって一体になった導光板８１が液晶表示装置５０の側面に配設している。ここでの液晶表示装置５０及びＬＥＤ５２は第１実施形態のものと同じものを使用している。また、ＬＥＤ５２は２個それぞれの切欠部８１ｎの部分に配置してある。この構造は液晶表示装置５０が大きいサイズの場合に好適に適用でき、導光板８１は縦方向には長くなるが横方向には広がらず、比較的狭い面積で済ませることができる。
【００４４】
また、この導光板８１を構成するそれぞれの部分導光板８１Ａ、８１Ｂは、前述の第３実施形態の導光板７１と同様に、液晶表示装置５０の側面と対面する面は光拡散面になっており、この面と対向する反対側の面も拡散面になっている。また、上下面及び液晶表示装置５０の側面と対面する面の対向する反対側の面には、ＬＥＤを配置する切欠部８１ｎを除いて、反射膜が設けられている。
【００４５】
液晶表示装置の大きさに応じて部分導光板を増やした導光板を設けることによって、大きな液晶表示装置であっても狭い面積で照明することができる。また、形状も台形の形状に限定するものではなく、第１実施形態で述べた半月形状、第２実施形態で述べた三角形状のものでも、それを一体的につなげることでも良い。導光板をこのような形状にすることによって、前述した第１実施形態や第２実施形態、或いは第３実施形態と同じ効果が得られて、大きなサイズの液晶表示装置の隅々まで明るく照明して、鮮明な表示を得ることができる。また、本実施形態では２個の光源及び導光板で説明したが、液晶表示装置の大きさに応じて３個あるいはそれ以上配設すれば大型の表示画面でも輝度ムラの少ない表示品質が得られる。
【００４６】
【発明の効果】
以上詳細に説明したように、本発明の液晶表示装置の照明構造は液晶表示装置と同等の厚さで液晶表示装置を照明することができるので薄型化が図れる。また、導光板を半月形状、三角形状、台形形状などのような形状にし、切欠けを設けてその所にＬＥＤを配設するようにすれば、狭い面積の所でも本発明の構造を適用することができ、携帯時計などに適用することが可能となる。また、導光板に光屈折させる穴を設けたり、放射面や反射面を光拡散面に仕上げることによって液晶表示装置の隅々まで光が届くようになり、全体的に明るさが均一で鮮明な白色の表示が得られる。また、ＬＥＤの点灯、非点灯に関わらず鮮明な表示が得られる。また、上記述べた導光板を横につなげることによって大きいサイズの液晶表示素子にも適用でき、狭いスペースでも明るい照明構造を取ることができる。また、液晶表示装置の下面に反射板を配設していることで、液晶表示装置の下面かから外部に放射して滅光するのを防止し、ＬＥＤの発光する光量を非常に効率高く利用する。
【図面の簡単な説明】
【図１】本発明の第１実施形態に係る液晶表示装置の照明構造の平面図である。
【図２】図１におけるＡ−Ａ断面図である。
【図３】図１におけるＢ−Ｂ断面図である。
【図４】図３における導光板の液晶表示装置の側面に対面している面の光拡散面の状態を説明する説明図である。
【図５】図３における導光板の液晶表示装置の側面に対面している面の反対側の対向する面の光拡散面の状態を説明する説明図である。
【図６】本発明の第２実施形態に係る液晶表示装置の照明構造の平面図である。
【図７】図６における導光板のＣ−Ｃ断面図である。
【図８】本発明の第３実施形態に係る液晶表示装置の照明構造の平面図である。
【図９】本発明の第４実施形態に係る液晶表示装置の照明構造の平面図である。
【図１０】高分子分散型液晶表示装置の要部断面図である。
【図１１】散乱型液晶表示装置の従来の照明構造を示す平面図である。
【図１２】特許文献１に示された散乱型液晶表示装置の照明構造を示す要部断面図である。
【図１３】図１２における導光板の要部断面図である。
【図１４】図１２における導光板の平面図である。
【符号の説明】
５０    液晶表示装置
５０ａ  液晶表示装置の側面
５１、６１、７１、８１    導光板
５１ａ、６１ａ、７１ａ    辺
５１ａ２、６１ａ２        面
５１ｂ、６１ｂ、７１ｂ      辺
５１ｂ２、                面
６１ｃ、７１ｃ            辺
６１ｃ２                  面
７１ｄ                    辺
５１ｍ、６１ｍ、７１ｍ、８１ｍ    穴
５１ｎ、６１ｎ、７１ｎ、８１ｎ    切欠部
５２    ＬＥＤ
【図１】
2004317740.tif 000003
【図２】
2004317740.tif 000004
【図３】
2004317740.tif 000005
【図４】
2004317740.tif 000006
【図５】
2004317740.tif 000007
【図６】
2004317740.tif 000008
【図７】
2004317740.tif 000009
【図８】
2004317740.tif 000010
【図９】
2004317740.tif 000011
【図１０】
2004317740.tif 000012
【図１１】
2004317740.tif 000013
【図１２】
2004317740.tif 000014
【図１３】
2004317740.tif 000015
【図１４】
2004317740.tif 000016